(57)【要約】【課題】ディスクトレイの走査中に、載置部に載置されたディスク媒体が回転する力を極力生じさせないとともに、このような回転力が生じたとしてもディスク媒体の回転を抑制することができるディスク媒体の回転防止装置の提供。【解決手段】載置部７表面とディスク媒体４７の下面との間で生じる摩擦力が、ディスクトレイ３５の副走査方向での走査時に、載置部７の縁部が従動ローラ１７を通過する際に生じるディスク媒体４７を回転させる力よりも大きくなるように、載置部７表面とディスク媒体４７の下面との間の摩擦係数が設定されている。【選択図】　　　　図３
2004122610.tif 000002
【特許請求の範囲】
【請求項１】
ディスクトレイ上の凹状に形成された載置部にディスク媒体を載置した状態で、記録ヘッドを主走査方向に走査しながら、駆動ローラと従動ローラとにより前記ディスクトレイを挟圧しながら副走査方向に走査して前記ディスク媒体の上面に記録を行う記録装置であって、
前記載置部表面と前記ディスク媒体の下面との間で生じる摩擦力が、前記ディスクトレイの副走査方向での走査時に、前記載置部の縁部が前記従動ローラを通過する際に生じる前記ディスク媒体を回転させる力よりも大きくなるように、前記載置部表面と前記ディスク媒体の下面との間の摩擦係数が設定されていることを特徴とするディスク媒体の回転防止装置。
【請求項２】
請求項１において、前記載置部には、前記ディスク媒体の下面との間の摩擦係数が大きくなるための高摩擦層が設けられていることを特徴とするディスク媒体の回転防止装置。
【請求項３】
請求項２において、前記高摩擦層はゴムコーティング層であることを特徴とするディスク媒体の回転防止装置。
【請求項４】
請求項１〜３のいずれか１項において、前記ディスク媒体がＣＤ−Ｒであり、前記載置部表面と前記ＣＤ−Ｒ表面との間の摩擦係数が、０．２１以上であることを特徴とするディスク媒体の回転防止装置。
【請求項５】
ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、
前記従動ローラが、前記載置部に載置されたディスク媒体の中心を通る副走査方向と平行な仮想線に対して線対称に配置されていることを特徴とするディスク媒体の回転防止装置。
【請求項６】
ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、
前記載置部の縁部のうち前記従動ローラが通過する部分には、前記載置部の内側上方へ張り出す庇部が形成されていることを特徴とするディスク媒体の回転防止装置。
【請求項７】
ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、
前記載置部の縁部の内側の少なくとも一部には高摩擦部材が設けられ、該高摩擦部材と前記ディスク媒体の周縁との間で生じる摩擦力が、前記ディスクトレイの副走査方向での走査時に、前記載置部の縁部が前記従動ローラを通過する際に生じる前記ディスク媒体を回転させる力よりも大きくなるように、前記高摩擦部材と前記ディスク媒体の周縁との間の摩擦係数が設定されていることを特徴とするディスク媒体の回転防止装置。
【請求項８】
請求項１〜７のいずれか１項に記載のディスク媒体の回転防止装置を備えることを特徴とする記録装置。
【発明の詳細な説明】
【０００１】
【発明の属する技術分野】
本発明は、ディスクトレイに載置されたＣＤ−Ｒなどのディスク媒体の表面に記録ヘッドの走査により記録を行う装置に関するものである。
【０００２】
【従来の技術】
近年、ＣＤ−Ｒなどのディスク媒体の表面に印刷等の記録を行うことができるプリンタ等の記録装置が市場に出回っている。このような記録装置によりディスク媒体に記録を行う場合、通常の用紙に記録するときに記録ヘッドが走査する領域をディスク媒体が副走査方向に移動できるようにディスクトレイを使用する。このディスクトレイは、ディスク媒体を支持する凹状の載置部を備え、ディスクトレイが副走査方向に移動することで主走査方向に走査する記録ヘッドによりディスク媒体の表面に記録を行うことができる。
【０００３】
【発明が解決しようとする課題】
ディスクトレイは、通常、下側に位置する紙送り駆動ローラと上側に位置する紙送り従動ローラとにより挟圧された状態で、紙送り駆動ローラを駆動することにより副走査方向へ移動する。ディスクトレイはこのように２つのローラにより挟圧されているため、段差状になっている載置部の縁部が紙送り従動ローラを横切るとき、以下に挙げた考えられ得る原因によりディスク媒体が回転してしまうことがある。
【０００４】
▲１▼ディスク媒体の下面と載置部の表面との摩擦係数が小さいために、僅かな力がディスク媒体に作用しただけでも容易にディスク媒体は回転してしまう。
▲２▼紙送り従動ローラは、複数存在するが、これらが載置部に載置されたディスク媒体の中心を通る副走査方向と平行な仮想線に対して線対称に配置されていないために、載置部の縁部において、該仮想線の両側で紙送り従動ローラがディスク媒体の表面を離れるタイミングがずれて、該ディスク媒体が回転する力を受ける。
▲３▼複数の紙送り従動ローラがディスク媒体の表面に対して挟圧する圧力が微妙に異なるため、挟圧力の差に起因してディスク媒体が回転する力を受ける。
このようにディスク媒体が回転すると、記録ヘッドの走査による記録方向がずれるために高品質の記録を実現することができない。
【０００５】
そこで本発明の課題は、ディスクトレイの走査中に、載置部に載置されたディスク媒体が回転する力を極力生じさせないとともに、このような回転力が生じたとしてもディスク媒体の回転を抑制することができるディスク媒体の回転防止装置および該装置を備える記録装置を提供することにある。
【０００６】
【課題を解決するための手段】
上記課題を達成するため、本発明の第１の態様に係るディスク媒体の回転防止装置は、ディスクトレイ上の凹状に形成された載置部にディスク媒体を載置した状態で、記録ヘッドを主走査方向に走査しながら、駆動ローラと従動ローラとにより前記ディスクトレイを挟圧しながら副走査方向に走査して前記ディスク媒体の上面に記録を行う記録装置であって、前記載置部表面と前記ディスク媒体の下面との間で生じる摩擦力が、前記ディスクトレイの副走査方向での走査時に、前記載置部の縁部が前記従動ローラを通過する際に生じる前記ディスク媒体を回転させる力よりも大きくなるように、前記載置部表面と前記ディスク媒体の下面との間の摩擦係数が設定されていることを特徴とするものである。
【０００７】
本発明の第１の態様によれば、ディスク媒体を載置した載置部の縁部が従動ローラを通過する際に、従動ローラのディスク媒体への接触位置のアンバランスや挟圧力のアンバランス等によって生じたディスク媒体を回転しようとする力を、載置部表面とディスク媒体の下面との間で生じる摩擦力が上回って、ディスク媒体の回転を抑制することができる。
【０００８】
また、本発明の第２の態様に係るディスク媒体の回転防止装置は、上記第１の態様において、前記載置部には、前記ディスク媒体の下面との間の摩擦係数が大きくなるための高摩擦層が設けられていることを特徴とするものである。本発明の第２の態様によれば、高摩擦層の存在により生じた載置部表面とディスク媒体の下面との間の摩擦力がディスク媒体を回転させる力を上回り、ディスク媒体の回転を抑制することができる。
【０００９】
また、本発明の第３の態様に係るディスク媒体の回転防止装置は、上記第２の態様において、前記高摩擦層はゴムコーティング層であることを特徴とするものである。本発明の第３の態様によれば、容易に載置部表面に高摩擦層を設けることができる。
【００１０】
また、本発明の第４の態様に係るディスク媒体の回転防止装置は、上記第１〜第３のいずれかの態様において、前記ディスク媒体がＣＤ−Ｒであり、前記載置部表面と前記ＣＤ−Ｒ表面との間の摩擦係数が、０．２１以上であることを特徴とするものである。本発明の第４の態様によれば、ディスク媒体の回転を有効に抑制することができる。
【００１１】
また、本発明の第５の態様に係るディスク媒体の回転防止装置は、ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、前記従動ローラが、前記載置部に載置されたディスク媒体の中心を通る副走査方向と平行な仮想線に対して線対称に配置されていることを特徴とするものである。
【００１２】
本発明の第５の態様によれば、複数の従動ローラがディスク媒体の上面に接触するときの接触抵抗が、ディスク媒体の中心を通る副走査方向と平行な仮想線に対して線対称で等しくなるため、ディスク媒体に回転力が生じにくい。また載置部の縁部付近においてディスク媒体に対する従動ローラの挟圧が解除されるタイミングが同時になるため、この点でもディスク媒体に回転力が生じにくくなる。
【００１３】
また、本発明の第６の態様に係るディスク媒体の回転防止装置は、ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、前記載置部の縁部のうち前記従動ローラが通過する部分には、前記載置部の内側上方へ張り出す庇部が形成されていることを特徴とするものである。
【００１４】
本発明の第６の態様によれば、ディスク媒体の中心を通る副走査方向と平行な仮想線に対して複数の従動ローラが非対称に配置されているような場合でも、仮想線の一方の側で従動ローラの挟圧が完了しているときに、仮想線の他方の側では従動ローラの一部が庇部に掛かり始めるため、該他方の側で庇部が挟圧力の一部を受け止めることにより、従動ローラがディスク媒体に及ぼす挟圧力が減衰し、ディスク媒体が回転しにくくなる。
【００１５】
また、本発明の第７の態様に係るディスク媒体の回転防止装置は、ディスクトレイ上の凹状に形成された載置部にディスク媒体を載置した状態で、前記記録ヘッドを主走査方向に走査しながら、駆動ローラと従動ローラとにより前記ディスクトレイを挟圧しながら副走査方向に走査して前記ディスク媒体の上面に記録を行う記録装置であって、前記載置部の縁部の内側の少なくとも一部には高摩擦部材が設けられ、該高摩擦部材と前記ディスク媒体の周縁との間で生じる摩擦力が、前記ディスクトレイの副走査方向での走査時に、前記載置部の縁部が前記従動ローラを通過する際に生じる前記ディスク媒体を回転させる力よりも大きくなるように、前記高摩擦部材と前記ディスク媒体の周縁との間の摩擦係数が設定されていることを特徴とするものである。
【００１６】
本発明の第７の態様によれば、ディスク媒体を載置した載置部の縁部が従動ローラを通過する際に、従動ローラのディスク媒体への接触位置のアンバランスや挟圧力のアンバランス等によって生じたディスク媒体を回転しようとする力を、載置部の縁部の内側に設けた高摩擦部材とディスク媒体の周縁との間の摩擦力が上回って、ディスク媒体の回転を抑制することができる。
【００１７】
また、本発明の記録装置は、上記第１〜第７のいずれかの態様のディスク媒体の回転防止装置を備えることを特徴とするものである。本発明によれば、ディスク媒体に対して高品質の記録を行うことができる記録装置を提供することができる。
【００１８】
【発明の実施の形態】
以下、本願発明の実施の形態を図面に基づいて説明する。図１は本発明に係るディスク媒体の回転防止装置を備えるインクジェット式記録装置の斜視図であり、図２はインクジェット式記録装置の側断面図であり、図３はディスクトレイ上にディスク媒体が載せられた状態を示す斜視図であり、図４はディスクトレイ上に載せられたディスク媒体と従動ローラとの位置関係を示す正面図であり、図５はディスクトレイの載置部にゴムコーティング層を設けた実施形態を示す斜視図であり、図６はディスクトレイの載置部の内周面に高摩擦部材を設けた実施形態を示す斜視図であり、図７はディスクトレイの載置部の内側上方に庇部が張り出す実施形態を示す側断面図である。
【００１９】
図１において、符号１はインクジェット式記録装置を示し、該インクジェット式記録装置１は、給紙ボタン２を備えるプリンタ本体３と、プリンタ本体３の前方側に形成される排紙部７とを備えている。尚、インクジェット式記録装置１は通常は用紙に記録するためのものであり、用紙を記録媒体とする場合にはプリンタ本体３の後方側に用紙をストックするための給紙トレイを取り付けることができるようになっている。
【００２０】
図２に示す如く、プリンタ本体３の内部にはキャリッジ９が設けられている。キャリッジ９は、記録動作を行わないときにはプリンタ１の右側のホームポジションに位置し、記録時にはプリンタ本体３の幅方向、即ち主走査方向に往復動できるようになっている。キャリッジ９の下端には記録ヘッド１１が設けられると共に、ディスク媒体を検出するためのセンサ１０が設けられている。
【００２１】
尚、本発明で適用可能なディスク媒体には、ＣＤ−Ｒ（コンパクトディスク　レコーダブル（Ｃｏｍｐａｃｔ　Ｄｉｓｋ　Ｒｅｃｏｒｄａｂｌｅ））、コンパクトディスク・リードオンリー・メモリ（ＣＤ−ＲＯＭ（Ｃｏｍｐａｃｔ　Ｄｉｓｃ　Ｒｅａｄ−Ｏｎｌｙ　Ｍｅｍｏｒｙ））、コンパクトディスク・リライタブル（ＣＤ−ＲＷ（Ｃｏｍｐａｃｔ　Ｄｉｓｃ　ＲｅＷｒｉｔａｂｌｅ））、ディヴィディ（ＤＶＤ（Ｄｉｇｉｔａｌ　Ｖｅｒｓａｔｉｌｅ　Ｄｉｓｃ））などのディスク状記録済媒体やディスク状記録可能媒体が含まれるが、従来公知及び今後開発されるであろう他の種類のディスク媒体も含まれる。
【００２２】
記録ヘッド１１と対向する位置には、記録時に用紙を下側から支持するプラテン１９が設けられている。また記録ヘッド１１の上流側には下側に位置する紙送り駆動ローラ１５と上側に位置する紙送り従動ローラ１７とから成る紙送りローラ１３が設けられ、記録ヘッド１１の下流側には排紙駆動ローラ２３と排紙従動ローラ２５とから成る排紙ローラ２１が設けられている。紙送り駆動ローラ１５は、搬送駆動モータ２７を正転または逆転することにより後述するディスクトレイをインクジェット式記録装置１の前後方向に駆動することができる。
【００２３】
図１に戻り、プリンタ本体３の前方側にはディスクトレイ受入部２９が形成されており、ディスクトレイ受入部２９にはトレイアッタチメント３１を前側から度当てに当接するまで一杯に挿入できるようになっている。トレイアッタチメント３１は、左右両側に設けられるトレイ支持体３３と、トレイ支持体３３の内側に形成されたガイドに沿って前後方向にスライド可能に支持される、平板状のプラスチックで構成されたディスクトレイ３５とを備えている。ディスクトレイ３５上には記録対象物となるディスク媒体の載置部３７がディスクトレイ３５の上面３９よりも一段低く形成されており、載置部３７の中央にはディスク媒体の中央に形成された穴と同径の突部４１が形成されている。１２ｃｍ、８ｃｍなどの異なる大きさのディスク媒体の穴を該突部４１に挿入することにより、ディスク媒体を載置部３７に対して同心的に配置できるようになっている。
【００２４】
ディスクトレイ受入部２９は、トレイアッタチメント３１を挿入したときに、平板状のディスクトレイ３５が排紙駆動ローラ２３と排紙従動ローラ２５との間および紙送り駆動ローラ１５と紙送り従動ローラ１７との間に挟持されるように構成されている。これによりディスクトレイ３５は紙送り駆動ローラ１５及び排紙駆動ローラ２３の駆動力を受けて左右のトレイ支持体３３の間で記録装置の前後方向に移動できるようになっている。本発明では、ディスクトレイ３５が移動する記録装置の前後方向を副走査方向と定義する。
【００２５】
図３に示す如く、紙送り従動ローラ１７はホルダ４３に回転可能に支持されており、ホルダ４３の前端側が捻りコイルバネ４５の作用により下向きに付勢されることで各紙送り従動ローラ１７がディスクトレイ３５を上から圧接している。即ちディスクトレイ３５は、紙送り駆動ローラ１５と紙送り従動ローラ１７とにより挟圧されている。
【００２６】
このような状況下でディスクトレイ３５を記録装置の前後方向に移動したとき、図４に示す如く紙送り従動ローラ１７が載置部３７に載置されているディスク媒体４７の後端付近に近づくと、ディスク媒体４７の上面（光学的、磁気的等の手段により情報を記録する側とは反対側の面）に圧接している複数の紙送り従動ローラ１７がディスク媒体４７の上面から外れるタイミングが異なったり、紙送り従動ローラ１７によってディスク媒体４７の上面に掛かる圧接力が微妙に異なるため、ディスク媒体４７が回転するように力（以下、回転力という）を受ける場合がある。本発明では、紙送り従動ローラ１７がディスク媒体４７の上面から外れる際にディスク媒体４７に作用するこのような回転力に抗して、ディスク媒体４７が回転しないように以下のような構成を備えている。
【００２７】
即ち、載置部３７の表面とディスク媒体４７の下面（光学的、磁気的等の手段により情報を記録する側の面）との間で生じる摩擦力が、上記ディスク媒体４７に作用する回転力よりも大きくなるように、載置部３７の表面とディスク媒体４７の下面との間の摩擦係数が設定されている。例えばディスク媒体がＣＤ−Ｒであり、紙送り従動ローラの挟圧力が全体で５１０ｋＰａである場合には、載置部３７の表面とＣＤ−Ｒの下面との間の摩擦係数が０．２１以上であることが好ましい。
【００２８】
ディスク媒体４７が回転しないように、載置部３７の表面とディスク媒体４７の下面との間の摩擦係数を大きくするためには、載置部３７上にディスクトレイ３５を構成する材料以外の材料で構成される高摩擦層４９を形成したり、貼付することができる。本実施の形態では、図５に示す如く高摩擦層４９としてゴムコーティング層５１を適用している。
【００２９】
また図６に示す如く、ディスク媒体４７に作用する回転力に打ち勝ってディスク媒体４７が回転しないように、載置部３７の縁部の内側の少なくとも一部に高摩擦部材５９を設けてもよい。この場合にも、高摩擦部材５９とディスク媒体４７の周縁との間の摩擦係数は、高摩擦部材５９とディスク媒体４７の周縁との間で生じる摩擦力が、上記ディスク媒体４７に作用する回転力よりも大きくなるように設定されている。
【００３０】
また本発明のディスク媒体の回転防止装置では、ディスクトレイ３５の移動により紙送り従動ローラ１７がディスク媒体４７の上面から外れる際に、ディスク媒体４７に作用する回転力を軽減する構成を採用することもできる。即ち図４に示す実施の形態では、複数の紙送り従動ローラ１７を、載置部３７に載置したディスク媒体４７の中心Ｃを通る副走査方向と平行な仮想線５３に対して線対称に配置している。これにより複数の紙送り従動ローラ１７がディスク媒体４７の上面に接触するときの接触抵抗が、仮想線５３に対して線対称で等しくなるため、ディスク媒体４７に回転力が生じにくい。また載置部３７の縁部付近においてディスク媒体４７に対する紙送り従動ローラ１７の挟圧が解除されるタイミングが同時になるため、この点でもディスク媒体４７に回転力が生じにくくなる。
【００３１】
また図７に示す如く、載置部３７の縁部５５のうち紙送り従動ローラ１７が通過する部分に、載置部３７の内側上方へ張り出す庇部５７を形成するようにしてもよい。このような庇部５７を設ければ、ディスク媒体４７の中心を通る副走査方向と平行な仮想線５３に対して複数の紙送り従動ローラ１７が非対称に配置されているような場合でも、仮想線５３の一方の側で紙送り従動ローラ１７の挟圧が完了しているときに、仮想線５３の他方の側では紙送り従動ローラ１７の一部が庇部５７に掛かり始めるため、該他方の側で紙送り従動ローラ１７がディスク媒体４７に及ぼす挟圧力が減衰し、ディスク媒体が回転しにくくなる。
【図面の簡単な説明】
【図１】本発明が適用されたインクジェット式記録装置の斜視図である。
【図２】同記録装置の側断面図である。
【図３】ディスクトレイを示す斜視図である。
【図４】ディスク媒体と従動ローラとの位置関係を示す正面図である。
【図５】載置部にゴムコーティング層を設けた形態を示す斜視図である。
【図６】載置部内周面に高摩擦部材を設けた実施形態を示す斜視図である。
【図７】載置部内側上方に庇部が張り出す実施形態を示す側断面図である。
【符号の説明】
１　インクジェット式記録装置、　２　給紙ボタン、　３　プリンタ本体、
７　排紙部、　９　キャリッジ、　１０　センサ、　１１　記録ヘッド、
１３　紙送りローラ、　１５　紙送り駆動ローラ、　１７　紙送り従動ローラ
１９　プラテン、　２１　排紙ローラ、　２３　排紙駆動ローラ、
２５　排紙従動ローラ、　２７　搬送駆動モータ、　２９　ディスクトレイ受入部、　３１　トレイアッタチメント、　３３　トレイ支持体、
３５　ディスクトレイ、　３７　載置部、　３９　ディスクトレイの上面、
４１　突部、　４３　ホルダ、　４５　捻りコイルバネ、
４７　ディスク媒体、　４９　高摩擦層、　５１　ゴムコーティング層、
５３　仮想線、　５５　載置部の縁部、　５７　庇部、　５９　高摩擦部材、
Ｃ　ディスク媒体の中心
【図１】
2004122610.tif 000003
【図２】
2004122610.tif 000004
【図３】
2004122610.tif 000005
【図４】
2004122610.tif 000006
【図５】
2004122610.tif 000007
【図６】
2004122610.tif 000008
【図７】
2004122610.tif 000009